(57)【要約】【課題】静止画撮影の際には携帯性に優れ、しかも動画撮影の際には操作性に優れたデジタルカメラを提供する。【解決手段】カメラ本体３の側面にはジョイント部１６が凸状に形成され、このジョイント部１６には接続端子１６ａが設けられている。このジョイント部１６には、動画撮影用グリップ５と静止画撮影用グリップ６とが着脱自在に装着可能である。動画撮影用グリップ５にはジョイント部１５が凹状に形成され、このジョイント部１５には接続端子が設けられている。動画撮影の際にはジョイント部１６とジョイント部１５とを噛み合わせることでカメラ本体３に動画撮影用グリップ５を電気的に装着する。また、静止画撮影の際にはカメラ本体３のジョイント部１６に静止画撮影用グリップ６を噛み合わせることで装着する。【選択図】図１
2007104316.tif 000002
【特許請求の範囲】
【請求項１】
静止画撮影及び動画撮影可能なデジタルカメラにおいて、
前記静止画撮影に適した構え方で把持することが可能な静止画用グリップと、前記動画撮影に適した構え方で把持することが可能な動画用グリップとが着脱自在に装着される装着部を備えていることを特徴とするデジタルカメラ。
【請求項２】
前記動画用グリップには、グリップベルトを取り付け可能な取り付け部が設けられていることを特徴とする請求項１記載のデジタルカメラ。
【請求項３】
前記装着部には、前記動画用グリップが装着された時に、この動画用グリップと電気的に接続される接点が設けられていることを特徴とする請求項１または請求項２記載のデジタルカメラ。
【請求項４】
前記動画用グリップには、電池が挿入される電池挿入口が設けられていることを特徴とする請求項３記載のデジタルカメラ。
【請求項５】
前記動画用グリップには、動画撮影時に音声情報を取得するためのマイクが設けられていることを特徴とする請求項３または請求項４記載のデジタルカメラ。
【請求項６】
前記動画用グリップには、増設メモリが設けられていることを特徴とする請求項３ないし請求項５のいずれか記載のデジタルカメラ。
【請求項７】
前記動画用グリップには、動画撮影時に動画データが記憶される記録メディアが着脱自在に装填される装填部が設けられていることを特徴とする請求項３ないし請求項６のいずれか記載のデジタルカメラ。
【請求項８】
前記動画用グリップには、把持した手で操作可能な位置に動画撮影ボタンが設けられていることを特徴とする請求項３ないし請求項７のいずれか記載のデジタルカメラ。
【請求項９】
ズーム操作リングを有するレンズ鏡筒を備え、前記動画用グリップには、前記ズーム操作リングを回転駆動させる駆動手段が設けられていることを特徴とする請求項３ないし請求項８のいずれか記載のデジタルカメラ。
【請求項１０】
前記動画用グリップには、ズーム操作部材が設けられており、前記駆動手段は、前記ズーム操作部材の操作に基づいて駆動されることを特徴とする請求項９記載のデジタルカメラ。
【発明の詳細な説明】
【技術分野】
【０００１】
本発明は、撮影機能に合わせてグリップを交換可能なデジタルカメラに関する。
【背景技術】
【０００２】
従来、静止画撮影用カメラにおいては、操作性を向上させるために、カメラ本体にグリップ用の突起を設けて把持し易くしたものが広く利用されている。また、このような突起を小さくしたり、突起を設けずに、カメラ本体を小型化して携帯性を向上させたコンパクトカメラも普及している。
【０００３】
一方、動画撮影用カメラにおいては、長時間撮影の操作性を満足させるために、グリップベルトを設けた把持できるものが広く普及している。また、動画撮影用カメラの中には、静止画撮影機能をも併せ持つものが提案されるに至っている。
【０００４】
カメラにおいて撮影に必要な種々の姿勢における操作性や取扱性を向上させるために、カメラ本体、グリップ等の配置や形状に工夫を加えたものとしては、以下のようなものが知られている。
【０００５】
静止画撮影機能と動画撮影機能とを併せ持ち、各々の撮影姿勢において操作性を満足させる、カメラ本体とグリップとが互いに回転自在に支持されているカメラが提案されている（例えば、特許文献１参照）。このカメラでは、カメラ本体とグリップとが互いに回転自在に支持されていることより、グリップ等を持ちかえることなく撮影アングルの変更を可能にしている。
【０００６】
また、使用者の撮影特性に応じた適切な撮影を可能とする、着脱自在な突起を設けたグリップとカメラ本体とからなるカメラが提案されている（例えば、特許文献２参照）。このカメラでは、使用者の撮影特性に応じた形状や機能を有する着脱自在な複数種のグリップの一つをカメラ本体に取り付けることにより、把持し易いグリップを得ることを可能にしている。
【特許文献１】特開平９−４３７１５
【特許文献２】特開２００４−３４３２０６
【発明の開示】
【発明が解決しようとする課題】
【０００７】
しかしながら、特許文献１のカメラでは、静止画撮影機能と動画撮影機能とのどちらを使用する場合にも操作性を重視しているためにカメラのサイズが大きくなっている。
【０００８】
また、特許文献２のカメラでは、使用者の撮影特性に応じて取り付けや交換が可能であるグリップを有しているが、撮影目的に合わせたグリップとなっておらず、静止画撮影用のカメラとしてはサイズが大きく、動画撮影用のカメラとしては操作性が十分ではない。
【０００９】
本発明は、上記課題を解決するためのものであり、静止画撮影の際には携帯性に優れ、しかも動画撮影の際には操作性に優れたデジタルカメラを提供することを目的とする。
【課題を解決するための手段】
【００１０】
上記目的を達成するために、本発明のデジタルカメラは、静止画撮影及び動画撮影可能なデジタルカメラにおいて、前記静止画撮影に適した構え方で把持することが可能な静止画用グリップと、前記動画撮影に適した構え方で把持することが可能な動画用グリップとが着脱自在に装着される装着部を備えていることを特徴とする。
【００１１】
なお、前記デジタルカメラは、前記動画用グリップにグリップベルトを取り付け可能な取り付け部が設けられていることを特徴とすることが好ましい。
【００１２】
また、前記デジタルカメラは、前記装着部に前記動画用グリップが装着された時に、この動画用グリップと電気的に接続される接点が設けられていることを特徴とすることが好ましい。
【００１３】
さらに、前記デジタルカメラは、前記動画用グリップに電池が挿入される電池挿入口が設けられていることを特徴とすることが好ましい。
【００１４】
さらに、前記デジタルカメラは、前記動画用グリップに動画撮影時に音声情報を取得するためのステレオマイクが設けられていることを特徴とすることが好ましい。
【００１５】
さらに、前記デジタルカメラは、前記動画用グリップに動画撮影時に動画データが記憶される増設メモリが設けられていることを特徴とすることが好ましい。
【００１６】
さらに、前記デジタルカメラは、前記動画用グリップに動画撮影時に動画データが記憶される記録メディアが着脱自在に装填される装填部が設けられていることを特徴とすることが好ましい。
【００１７】
さらに、前記デジタルカメラは、前記動画用グリップに把持した手で操作可能な位置に動画撮影ボタンが設けられていることを特徴とすることが好ましい。
【００１８】
さらに、前記デジタルカメラは、ズーム操作リングを有するレンズ鏡筒を備え、前記動画用グリップには、前記ズーム操作リングを回転駆動させる駆動手段が設けられていることを特徴とすることが好ましい。
【００１９】
さらに、前記デジタルカメラは、前記動画用グリップにズーム操作部材が設けられており、前期駆動手段は、前記ズーム操作部材に基づいて駆動されることを特徴とすることが好ましい。
【発明の効果】
【００２０】
本発明のデジタルカメラによれば、前記静止画撮影に適した構え方で把持することが可能な静止画用グリップと、前記動画撮影に適した構え方で把持することが可能な動画用グリップとが着脱自在に装着される装着部を備えていることより、静止画撮影の際には携帯性に優れ、しかも動画撮影の際には操作性に優れることとなる。
【００２１】
また、前記動画用グリップにグリップベルトを取り付け可能な取り付け部が設けられていることより、グリップベルトを用いることができ、動画撮影の際には操作性に優れることとなる。また、カメラ本体がコンパクトになることより、静止画撮影の際には携帯性に優れることとなる。
【００２２】
さらに、前記装着部に前記動画用グリップが装着された時に、この動画用グリップと電気的に接続される接点をこの装着部に設け、電池が挿入される電池挿入口と、動画撮影時に音声情報を取得するためのステレオマイクと、動画撮影時に動画データが記憶される増設メモリと、動画撮影時に動画データが記憶される記録メディアとを前記動画用グリップに設けたことにより、カメラ本体がコンパクトとなり、よって静止画撮影の際には携帯性に優れることとなる。また、前記動画用グリップに、把持した手で操作可能である位置に動画撮影ボタンを設けたことにより、動画撮影の際には操作性に優れることとなる。
【００２３】
さらに、レンズ鏡筒にはズーム操作リングを備え、前記動画用グリップに前記ズーム操作リングを回転駆動させる駆動手段と、この駆動手段を駆動させるズーム操作部材とを設けたことにより、手動によるズーミング操作が不要となる結果ぶれの発生を抑えることとなり、動画撮影の際には操作性に優れることとなる。
【発明を実施するための最良の形態】
【００２４】
図１に示すように、カメラシステム２は、カメラ本体３とレンズユニット４と動画撮影用グリップ５ないし静止画撮影用グリップ６とから構成される。カメラ本体３にはレンズユニット４が着脱自在であり、装着時にはカメラ本体３とレンズユニット４とが電気的に接続される。また、撮影機能に合わせてカメラ本体３には動画撮影用グリップ５ないし静止画撮影用グリップ６を着脱自在に装着することとなるが、動画撮影用グリップ５の装着時には電気的に接続され、静止画撮影用グリップ６の装着時には非電気的に接続される。なお、図２は、レンズユニット４と動画撮影用グリップ５とをカメラ本体３に装着したカメラシステム２を示す。
【００２５】
レンズユニット４の後面に設けられたレンズ側マウント部７には、バヨネット爪８が形成されている。このバヨネット爪８には接続端子８ａが設けられている。カメラ本体３の前面に設けられた本体側マウント部９には、バヨネット溝１０が形成されている。レンズユニット４をカメラ本体３に装着する際には、バヨネット爪８をバヨネット溝１０に合わせた状態で押し込んでから回転させる。本体側マウント部９のロックピン１１がレンズ側マウント部７の図示しないピン孔と係合すると、レンズユニット４が位置決めされる。また、レンズユニット４の位置決めに伴ってレンズ側マウント部７の接続端子８ａが本体側マウント部９の接続端子９ａ（図３参照）に接続される。なお、本体側マウント部９には、前方向にバネ付勢されたマウント蓋１３が設けられており、レンズユニット非装着時にカメラ本体３内部に塵埃が侵入しないようにされている。
【００２６】
本体側マウント部９には、ロックピン１１と連動するロック解除ボタン１２が設けられている。ロック解除ボタン１２は、レンズユニット４を取り外す際に操作されるものであり、押圧することでロックピン１１を後方向に移動させてロックを解除することができる。
【００２７】
動画撮影用グリップ５にはジョイント部１５が凹状に形成され、このジョイント部１５には接続端子１５ａ（図３参照）が設けられている。カメラ本体３の側面にはジョイント部（装着部）１６が凸状に形成され、このジョイント部１６には接続端子１６ａが設けられている。ジョイント部１５とジョイント部１６とを噛み合わせるようにスライドさせることにより、動画撮影用グリップ５をカメラ本体３に装着することができる。動画撮影用グリップ５とカメラ本体３とを接合させると、動画撮影用グリップ５側の接続端子１５ａ（図３参照）とカメラ本体３側の接続端子１６ａとが接続される。なお、動画撮影用グリップ５とカメラ本体３とにはそれぞれ図示しないネジ孔があり、これらネジ孔にネジ１７を締め付けることで、動画撮影用グリップ５とカメラ本体３とを固定できる。
【００２８】
静止画撮影用グリップ６は例えばゴム等の滑り止めの機能を果す材質からなり、凹状に形成されている。静止画撮影用グリップ６は、ジョイント部１６に噛み合わせるようにスライドさせることで、カメラ本体３に装着することができる。また、静止画撮影用グリップ６とカメラ本体３とにはそれぞれ図示しないネジ孔があり、これらネジ孔にネジ１７を締め付けることで、静止画撮影用グリップ６とカメラ本体３とを固定できる。なお、本実施形態においては、静止画撮影用グリップ６は滑り止めの機能を果す材質から形成されているとしたが、滑り止めの機能を果すことができればよく、表面のみが滑り止め機能を果す材質から形成されるものでもよい。
【００２９】
カメラ本体３の上面には、撮影時に押圧操作される静止画撮影用レリーズボタン２０と、撮影／再生モードの切替え時に操作されるモード操作部２１とが設けられている。カメラ本体３の後面には、撮影画像や各種設定条件が表示されるＬＣＤ２２と、電源スイッチ２３とが設けられている。
【００３０】
レンズユニット４はレンズ鏡筒３０により外枠が形成されている。レンズ鏡筒３０内にズームレンズ群３１、フォーカスレンズ群３２、ＣＣＤ３３（図３参照）等が組み込まれており、内部に塵埃が侵入しないように密閉されている。レンズ鏡筒３０外面にはズーム操作リング３４が設けられている。
【００３１】
動画撮影用グリップ５の内側側面には動画撮影時にズームレンズ群３１の調整をズーム操作リング３４の回転駆動によってさせるズーム駆動ユニット４０が設けられている。動画撮影用グリップ５の上面には、ズーム駆動ユニット４０を駆動させるためのズーム操作キー４１が設けられている。動画撮影用グリップ５の前面にはステレオマイク４２（図３参照）が設けられている。動画撮影用グリップ５の外側側面にはグリップベルト取り付け部４４が設けられている。動画撮影用グリップ５の後面には動画撮影時に押圧操作される動画撮影用レリーズボタン４５が設けられている。動画撮影用グリップ５の底面には動画撮影用としての記録メディアと電池とをそれぞれ挿入するための記録メディア挿入口（装填部）４６と電池挿入口４７とが設けられている。
【００３２】
動画撮影用グリップ５を装着した場合におけるカメラシステム２の電気的構成を示すブロック図を図３に示す。なお、静止画撮影用グリップ６を装着した場合におけるカメラシステム２の電気的構成図を示すブロック図は、図３における、動画撮影用グリップ５を除いたカメラ本体３とレンズユニット４とによって表される。フォーカスレンズ群３２を駆動するフォーカスレンズ駆動モータ５０は、モータドライバ５１を介してレンズユニット用システム制御部５２によって駆動が制御されている。ＣＣＤ３３は、ＣＣＤドライバ５３に接続されており、ＣＣＤドライバ５３を介してレンズユニット用システム制御部５２によって駆動が制御される。ＣＣＤ３３は、光学的な被写体画像を電気的な撮像信号に変換して出力する。撮像信号はアンプ５４で適当なレベルに増幅された後、Ａ／Ｄ変換回路５５によってデジタル変換されて画像データとなる。この画像データは、シリアルドライバ５６を介して接続端子８ａからカメラ本体３へと送信される。レンズユニット用システム制御部５２では、カメラ本体用システム制御部６０からの指令に基づいてレンズユニット側の管制をしている。
【００３３】
レンズユニット４からの画像データは、シリアルドライバ６１を介してメモリ６２に書き込まれる。信号処理部６３は、メモリ６２から画像データを読み出し、階調変換、ホワイトバランス補正、γ補正等の各種画像処理を施す。画像処理が施された画像データはＬＣＤドライバ６４へ入力され、ＬＣＤ２２に画像として表示される。
【００３４】
静止画撮影用レリーズボタン２０が押圧操作されたときには、メディアコントローラ６５の制御によって、画像処理が施された画像データが記録メディア６６に記録される。また撮影環境からの光量に応じてストロボ６７が駆動される。カメラ本体用システム制御部６０は、レンズユニット用システム制御部５２に指令を送るとともに、カメラ本体側の撮影処理、画像表示処理、記録処理等を管制している。カメラ本体用システム制御部６０には、静止画撮影用レリーズボタン２０、モード操作部２１、電源スイッチ２３が接続されている。
【００３５】
カメラ本体３にはバッテリ６８が配置され、カメラ本体３の各部に電力を供給している。また、バッテリ６８は、接続端子９ａを介してレンズユニット４に接続されており、レンズユニット４の各部にも電力を供給している。
【００３６】
なお、動画撮影用グリップ５がカメラ本体３に接続されている場合においては、増設メモリ７０はメモリ６２と、メディアコントローラ７２はメディアコントローラ６５と、記録メディア７３は記録メディア６６とそれぞれ同等の機能を有しており、動画撮影時には増設メモリ７０、メディアコントローラ７２及び記録メディア７３も用いられることとなる。
【００３７】
また、動画撮影用レリーズボタン４５は静止画撮影用レリーズボタン２０と、ほぼ同等の機能を有している。但し、動画撮影用レリーズボタン４５を押圧操作した場合は、静止画撮影用レリーズボタン２０を押圧操作した場合と異なり、ストロボ６７は駆動されない。また、動画撮影用レリーズボタン４５を押圧操作した場合、外部からの音がマイク４２に入力され、入力された音がメディアコントローラ７２の制御により記録メディア７３に記録される。
【００３８】
動画撮影用グリップ５にはバッテリ７１が配置され、動画撮影用グリップ５の各部に電源を供給している。また、バッテリ７１は、接続端子１５ａを介してカメラ本体に接続されており、カメラ本体３の各部にも電力を供給している。さらに、バッテリ７１は、カメラ本体３の接続端子９ａを介してレンズユニット４にも接続されており、レンズユニット４の各部にも電力を供給している。
【００３９】
ズーム操作キー４１が押圧操作されると、ズームレンズ群３１を駆動させるズーム駆動ユニット４０が作動する。
【００４０】
以下、上記構成のうち、動画撮影用グリップ５を用いた場合の作用について説明する。レンズユニット４と動画撮影用グリップ５とをカメラ本体３に装着すると、レンズユニット４と動画撮影用グリップ５とはカメラ本体３と電気的に接続される。
【００４１】
カメラ本体３の電源スイッチ２３をオンにし、モード操作部２１を操作して撮影モードに設定すると、フォーカスレンズ駆動モータ５０が駆動し、フォーカスレンズ群３２が前後方向に移動してピント合わせが行われる。ズーム操作キー４１を押圧操作するとズーム駆動ユニット４０が駆動し、この駆動ユニット４０がギヤ４０ａを介してレンズユニット４のレンズ鏡筒３０の外側に取り付けられたズーム操作リング３４を回転させることにより、ズーム操作リング３４と連動してレンズユニット４のズームレンズ群３１が前後方向に移動してズーミングが行われる。なお、ズームレンズ群３１とフォーカスレンズ群３２とは連動して移動する。
【００４２】
ＣＣＤ３３によって撮像信号に変換された画像はＬＣＤ２２にスルー画として表示される。動画撮影用レリーズボタン４５を押圧操作すると、その時点で得られた画像データが記録メディア７３に記録される。この記録メディア７３に記録された画像は、ＬＣＤ２２に表示することができる。
【００４３】
以下、上記構成のうち、静止画撮影用グリップ６を用いた場合の作用について説明する。レンズユニット４と静止画撮影用グリップ６とをカメラ本体３に装着すると、レンズユニット４とカメラ本体とは電気的に接続され、静止画撮影用グリップ６とカメラ本体３とは非電気的に接続される。
【００４４】
ズーミングは、レンズユニット４のレンズ鏡筒３０の外側に取り付けられたズーム操作リング３４を直接手動により回転させることで、ズームレンズ群３１が前後に移動して行われる。また、記録メディア６６への画像データの記録は、静止画撮影用レリーズボタン２０を押圧操作することによってなされる。なお、その他の作用は、動画撮影用グリップ５を用いた場合と同様であり、詳しい説明は省略する。
【００４５】
なお、上記実施形態において、ズーム操作リングの外周に形成されたギヤと、ズーム駆動ユニットのギヤとを噛合させる場合を例に説明したが、これに限るものではなく、ズーム操作リングを回転させることが可能であれば良く、例えば、摩擦力の大きいゴム同士の連結でも良い。
【００４６】
さらに、上記実施形態では、レンズユニットが着脱自在なレンズ交換式のカメラを用いて説明したが、レンズユニットとカメラ本体が一体化された形態のカメラにも本発明を適用することができる。
【００４７】
さらに、上記実施形態では、グリップとカメラ本体との固定はネジ止めとして説明したが、ネジ止めでなくてもよい。
【００４８】
さらに、上記実施形態では、増設メモリに画像データが一時的に記憶される場合を例に説明したが、これに限るものではなく、増設メモリに動画データを記憶させても良い。この場合、増設メモリとしてフラッシュメモリ等を用いれば良い。
【図面の簡単な説明】
【００４９】
【図１】本発明を実施したデジタルカメラの前方外観斜視図である。
【図２】動画撮影用グリップを装着した状態のデジタルカメラの後方外観斜視図である。
【図３】動画撮影用グリップを装着した状態のデジタルカメラの電気的構成を示すブロック図である。
【符号の説明】
【００５０】
２  カメラシステム
３  カメラ本体
４  レンズユニット
５  動画撮影用グリップ
６  静止画撮影用グリップ
１６  ジョイント部
１７  ネジ
３０  レンズ鏡筒
３４  ズーム操作リング
４０  ズーム駆動ユニット
４０ａ  ギヤ
４１  ズーム操作キー
４２  ステレオマイク
４４  グリップベルト取り付け部
４５  動画撮影用レリーズボタン
４６  記録メディア挿入口
４７  電池挿入口
【図１】
2007104316.tif 000003
【図２】
2007104316.tif 000004
【図３】
2007104316.tif 000005